(57)【要約】【課題】シンプルな構成でありながら、けらば部分の美観を保つことができるけらば役物およびそれを備えたけらば構造を提供する。【解決手段】けらば役物１は、屋根材の端縁に沿うように延びる長尺の包み部材２と、包み部材２の長手方向に沿って複数並設される前記包み部材２よりも短尺の化粧材３とを備えている。【選択図】図１
2018112055.tif 000002
【特許請求の範囲】
【請求項１】
屋根のけらば部に屋根材の妻側端縁を上方から覆うように配置される長尺の包み部材と、
前記包み部材の側面にその長手方向に沿って複数並設される前記包み部材よりも短尺の化粧材と
を備えている
ことを特徴とするけらば役物。
【請求項２】
前記包み部材は、前記側面の前記化粧材よりも上側の位置から外方に突出すると共に、前記包み部材の長手方向に沿って延びる突条部を備えており、
前記突条部は、前記化粧材よりも外側に突出している
ことを特徴とする請求項１記載のけらば役物。
【請求項３】
前記化粧材は、前記屋根材と同質の外観を呈することを特徴とする請求項１又は２に記載のけらば役物。
【請求項４】
請求項１乃至３のいずれか１項に記載のけらば役物が前記けらば部に前記屋根材の妻側端縁を上方から覆うように配置されていることを特徴とするけらば構造。
【発明の詳細な説明】
【技術分野】
【０００１】
本発明は、けらば役物およびそれを備えたけらば構造に関する。
【背景技術】
【０００２】
特許文献１には、従来のけらば役物が開示されている。この特許文献１記載のけらば役物は、けらばに取り付けられる袖瓦である。この袖瓦は、軒棟方向に複数並ぶようにして取り付けられる。
【先行技術文献】
【特許文献】
【０００３】
【特許文献１】特開２０１０−１９０００３号公報
【発明の概要】
【発明が解決しようとする課題】
【０００４】
ところで、上記従来の屋根の構造は、軒先側の袖瓦の棟側端部に、その棟側に位置する袖瓦の軒側端部が嵌め込まれて重ねられて、袖瓦が軒から棟に向かって順次施工される。
【０００５】
しかしながら、従来の袖瓦では、軒側の袖瓦の棟側端部に、その棟側の袖瓦の軒側端部を嵌め込み可能な複雑な形状にする必要がある。
【０００６】
本発明は、上記事情に鑑みてなされたものであり、その目的とするところは、シンプルな構成でありながら、けらば部分の美観を保つことができるけらば役物およびそれを備えたけらば構造を提供することにある。
【課題を解決するための手段】
【０００７】
本発明の一例のけらば役物は、屋根のけらば部に屋根材の妻側端縁を上方から覆うように配置される長尺の包み部材と、前記包み部材の側面にその長手方向に沿って複数並設される前記包み部材よりも短尺の化粧材とを備えていることを特徴とする。
【０００８】
また、このけらば役物において、前記包み部材は、前記側面の前記化粧材よりも上側の位置から外方に突出すると共に、前記包み部材の長手方向に沿って延びる突条部を備えており、前記突条部は、前記化粧材よりも外側に突出していることが好ましい。
【０００９】
また、このけらば役物において、前記化粧材は、前記屋根材と同質の外観を呈することが好ましい。
【００１０】
また、本発明の一例のけらば構造は、前記けらば役物が前記けらば部に前記屋根材の妻側端縁を上方から覆うように配置されていることが好ましい。
【００１１】
また、このけらば構造において、前記けらば役物は、家屋の出入口が設けられた妻壁側の前記けらば部に配置されていることが好ましい。
【発明の効果】
【００１２】
本発明のけらば役物およびこれを備えたけらば構造によれば、シンプルな構成でありながら、けらば部分の美観を保つことができる。
【図面の簡単な説明】
【００１３】
【図１】図１は、本発明の一実施形態のけらば構造の斜視図である。
【図２】図２は、同上の包み部材の正面図である。
【図３】図３Ａは、同上のけらば役物の平面図であり、図３Ｂは、けらば役物の側面図であり、図３Ｃは、けらば役物の正面図である。
【図４】図４は、図３ＡのＤ部分における化粧材に交差する部分での水平断面図である。
【図５】図５は、同上のけらば構造の要部断面図である。
【図６】図６Ａは、同上のけらば構造の屋根下地を施工した状態の斜視図である。図６Ｂは、屋根下地に包み部材を取り付けた状態の斜視図である。図６Ｃは、包み部材の取付け後に屋根材を施工した状態の斜視図である。図６Ｄは、包み部材に対し、化粧材を取付け施工した状態の斜視図である。
【図７】図７は、包み部材を施工する際の包み部材の軒先の加工を説明する斜視図である。
【図８】図８は、包み部材を施工する際の包み部材同士の接続方法を説明する斜視図である。
【図９】図９は、同上のけらば構造の棟巴板周辺部の斜視図である。
【発明を実施するための形態】
【００１４】
以下、本発明の実施形態について添付図面に基づいて説明する。
【００１５】
本実施形態のけらば役物１は、屋根の妻側の端部であるけらば部に沿うようにして取り付けられる。本実施形態に係るけらば役物１は、屋根下地の妻側の端部を包み、雨仕舞いや意匠性の向上を実現する。けらば役物１は、図１に示すように、包み部材２と、複数の化粧材３とを備えている。
【００１６】
ここで、本実施形態では、棟から軒に向かう方向を軒方向とし、軒から棟に向かう方向を棟方向とし、軒方向及び棟方向に平行な方向（双方向）を軒棟方向として定義する。本実施形態に係る屋根は、切妻屋根であるが、例えば、片流れ屋根であってもよく、この場合、棟とは、屋根面においてもっとも高い部分を意味する。また、軒とは、屋根面において最も低い部分を意味し、外壁面よりも屋外側に突出しない屋根の先端も軒というものとする。
【００１７】
また、軒棟方向に直交しかつ水平面に沿う方向を「横方向」（桁行方向）として定義し、横方向において屋内側から屋外側に向かう方向を外方向とし、その反対方向を内方向として定義する。
【００１８】
さらに、本実施形態において、「けらば部」とは、屋根の妻側の端部を意味し、屋根の妻側の端面だけでなく、屋根の妻側の端面から内方向に一定の範囲を有する部分を含む。本実施形態では、けらば部は、屋根材６の妻側の端部と破風板５４とを含む。
【００１９】
包み部材２は、けらば役物１の主体を構成する部材であり、屋根材６のけらば側の端部を覆って止水性の向上に寄与する部材である。包み部材２は、本実施形態では、けらば部において、屋根材６の裏側に差し込まれた状態でかつ該屋根材６の妻側端縁を上方から覆うように配置される。包み部材２は、けらば部に沿って軒棟方向に延びており、言い換えると、包み部材２の長手方向が軒棟方向に平行である。包み部材２は、長手方向に所定長さで形成されており（例えば、１８２９ｍｍ）、屋根の軒棟方向の長さに応じて、１つまたは複数個が長手方向に沿って連結される。１つ又は複数個の包み部材２は、屋根面の軒棟方向の略全長に亙るように配置される。
【００２０】
図２に包み部材２の正面図を示す。包み部材２は、本実施形態では、縦片２１と、屋外側突条部２２と、天板部２３と、屋内側突条部２４と、屋根板対向部２５と、敷込部２６とを備える。包み部材２は、金属板を曲げ加工することで、縦片２１、屋外側突条部２２、天板部２３、屋内側突条部２４、屋根板対向部２５及び敷込部２６が一体に形成されている。
【００２１】
本実施形態の包み部材２の側面は、縦片２１の外面（屋外側の面）で構成されている。縦片２１は、包み部材２が建物に取り付けられた状態で、けらば部の縦面（本実施形態では、野地板の外方向の端面及び破風板５４の外面）に沿うように配置される。縦片２１には、複数の取付孔２７が形成されており、この取付孔２７に挿通されたねじや釘等の固着具７がけらば部ののぼり木５５に打ち込まれることで、包み部材２が屋根下地に取り付けられる（図５参照）。取付孔２７は、縦片２１の上端部に形成されており、屋外側突条部２２側に偏った位置に配置されている。縦片２１の外面には、後述の複数の化粧材３が取り付けられる。なお、縦片２１には、取付孔２７が設けられていなくてもよく、包み部材２をのぼり木５５に固定する際に、固着具７によって貫通孔が形成されてもよい。
【００２２】
屋外側突条部２２は、縦片２１の上端部から外方向に突出している。詳しく言うと、屋外側突条部２２は、縦片２１に化粧材３が取り付けられた状態で、化粧材３の屋外側の面よりも外方向に突出している。
【００２３】
屋外側突条部２２は、包み部材２の軒棟方向の全長に亙って連続的に形成されている。屋外側突条部２２は、縦片２１の上端部から外方向に沿って斜め上方に延出する傾斜板部２２１と、傾斜板部２２１の屋外側端部から内方向に延出する横板部２２２とで構成されている。傾斜板部２２１と横板部２２２とは鋭角に接続されている。なお、横板部２２２は、縦片２１の屋外側の面を上方に延長した仮想面よりも屋外側の部分をいう。
【００２４】
天板部２３は、横板部２２２の内方向の端部から内方向に延出する。本実施形態においては、横板部２２２と天板部２３とは連続しており、継ぎ目が存在しない。天板部２３の内方向の先端部には、屋内側突条部２４が内方向に突出している。
【００２５】
屋内側突条部２４は、屋根板対向部２５よりも内方向（屋内側）に突出する部分である。屋内側突条部２４は、屋根材６の外方向の端部（妻側端縁）を上方から覆う。屋内側突条部２４は、包み部材２の軒棟方向の全長に亙って連続的に形成されている。
【００２６】
屋根板対向部２５は、屋根材６の外方向の端面に対向する。屋根板対向部２５は、屋内側突条部２４から下方に延出している。屋根板対向部２５の下端部からは、敷込部２６が内方向に延びている。
【００２７】
敷込部２６は、屋根材６の下方に敷き込まれる部分であり、屋根板対向部２５の下端部から内方向に延びている。敷込部２６は、軒棟方向に延びる複数の突条２６１を有している。複数の突条２６１は、横方向に離れて形成されている。これにより、屋根材６の下方に雨水が浸入しても、雨水を堰き止めて軒側に排水することができる。
【００２８】
また、図３Ａに示すように、包み部材２の棟側の端部８０は、屋外側突条部２２と屋内側突条部２４との先端間の距離が、棟方向に行くほど幅狭となるように形成されている。複数のけらば役物１は、軒棟方向に沿って接続可能である。このとき、軒棟方向に接続される一対の包み部材２のうち、軒側に配置された包み部材２の棟側の端部８０は、棟側に配置された包み部材２の軒側の端部の内側に差し込まれるようにして接続される。したがって、包み部材２の棟側の端部８０において、屋外側突条部２２と屋内側突条部２４との先端間の距離が、棟側に位置するほど幅狭に形成されることで、包み部材２同士を長手方向に連結しやすい構造となっている。なお、この接続構造は、施工現場で切断、曲げ等の加工を施してなされるものであってもよく、この場合、施工現場に搬入される包み部材２は、長手方向に同一断面形状のものである。
【００２９】
化粧材３は、図３Ｂに示すように、縦片２１に取り付けられている。本実施形態の包み部材２は、縦片２１にのみ化粧材３が取り付けられており、屋外側突条部２２、天板部２３及び屋内側突条部２４は露出している。このため、地上から目立つ部分について複数の化粧材３が配置され、屋根の上方側に向く部分については化粧材３を省くことができる。従って、建物の外観を保ちながら、部材の省略をすることができる。
【００３０】
各化粧材３は、軒棟方向に延びた略矩形（より詳しくは台形）の板状に形成されている。各化粧材３の軒棟方向の寸法は、包み部材２の軒棟方向の寸法よりも短い。
【００３１】
各化粧材３の下側の辺と水平面とのなす角度が、包み部材２の長手方向と水平面とのなす角度よりも大きく形成されている。また、化粧材３の上側の辺は、包み部材２の長手方向に平行である。言い換えると、化粧材３の下側の辺は、包み部材２の長手方向に対して傾斜しており、且つ、化粧材３は棟側に位置するほど、幅狭に形成されている。
【００３２】
本実施形態の複数の化粧材３は、すべてが同じ材料の板材で形成されており、例えば、セラミック板，樹脂板，セメント板または金属板等により構成される。
【００３３】
化粧材３は、屋根材６と同じ材料、または似たような外観を呈する材料、すなわち、屋根材６と同質の外観を呈する材料で形成されることが好ましい。すなわち、本実施形態でいう「屋根材６と同質の外観を呈する材料」とは、屋根材６と外観が完全に一致する場合だけでなく、観る者が、屋根材６と共通感又は統一感を抱くような材料を意味し、材質は問わない。
【００３４】
このように化粧材３が屋根材６と同質の外観を呈していると、家屋を統一感のある外観にすることができる。また、屋根材６を加工して化粧材３を作成することもできる。なお、複数の化粧材３は、複数の材料が混在していてもよい。
【００３５】
化粧材３と縦片２１とは、例えば、固着具によって固定されるが、両面テープと接着剤とで固定されてもよい。
【００３６】
複数の化粧材３は、鎧張り状に取り付けられている。ここで、図４には、図３ＡのＤ部分における化粧材３に交差する部分での水平断面図を示す。図４に示すように、軒棟方向に接続された一対の化粧材３のうち、軒側の化粧材３の棟側の端部には、棟側の別の化粧材３の軒側の端部が屋外側から重ねられている。各化粧材３は、軒側の端部が縦片２１から離れており、棟側の端部が縦片２１に当たっている。このため、縦片２１と化粧材３との間には、部分的に隙間が形成されるため、スペーサ４を介在させてもよい。
【００３７】
このような構成のけらば役物１は、例えば家屋の出入口が設けられた妻壁側のけらば部に取り付けられる。けらば役物１は、例えば図５に示すように、けらば部に取り付けられる。
【００３８】
図５には、けらば部にけらば役物１が取り付けられた状態を示す。けらば部は、野地板５１の端部，垂木５２，破風下地５３，破風板５４，のぼり木５５を有する。本実施形態のけらば役物１は、野地板５１のけらば部側の端部，のぼり木５５，破風板５４の上端部を覆うようにして取り付けられる。
【００３９】
（施工方法）
次に、けらば役物１の施工方法を図６を用いて説明する。
【００４０】
まず、施工者は、図６Ａに示すように、野地板５１、及びアスファルトルーフィング等の下葺き材５６を設置する。その後、下葺き材５６のけらば側の端部にのぼり木５５を載せて、上り木５５を野地板５１に取り付ける。のぼり木５５は、長手方向が軒棟方向に平行となるように野地板５１に取り付けられる。
【００４１】
次いで、施工者は、図６Ｂに示すように、包み部材２を取り付ける。施工者は、のぼり木５５の上面に天板部２３が重なり、かつ縦片２１が野地板５１のけらば側の端面及び破風板５４の上端部を覆うように、包み部材２を配置する。その後、施工者は、縦片２１に対して外側から内方向に固着具（役物固定用釘）を打ち込む。固着具７は、軒棟方向に沿って一定のピッチで打ち込まれる。
【００４２】
この時、軒方向の先端に位置する包み部材２は、図７に示すように現場で加工することが好ましい。施工者は、当該包み部材２に対し、軒方向の先端から棟方向に沿って一定の寸法において、屋外側突条部２２のうちの横板部２２２、天板部２３、及び屋内側突条部２４のうちの上面の部分を残し、その他を取り除く。そして、残った天板部２３、及び屋内側突条部２４のうちの上面の部分を下方に折り曲げる。この下方に折り曲げる方向は、屋根面に直交する方向でもよいし、鉛直方向に平行であってもよい。
【００４３】
また、複数の包み部材２をけらば部に取り付ける場合には、図８に示すようにして、軒棟方向に隣り合う包み部材２同士を連結する。
【００４４】
軒棟方向に隣り合う包み部材２のうち、軒側の包み部材２の棟側の端部において、屋外側突条部２２の角部を斜めに切り落とす。これにより、屋外側突条部２２の棟側の端部は、平面視において棟方向ほど内方向に位置するように傾斜する。
【００４５】
また、軒側の包み部材２の棟側の端部において、縦片２１の下角を斜めに切り落とす。これにより、縦片２１の棟側の端部の下端部は、側面視において棟方向ほど上方に位置するように傾斜する。
【００４６】
そして、施工者は、この軒側の包み部材２の棟側の端部を、棟側の包み部材２の軒側の端部の内側に差し込む。これにより、軒側の包み部材２の天板部２３の上面に、棟側の包み部材２の天板部２３が重なり、軒側の包み部材２の縦片２１の外方向の面に、棟側の包み部材２の縦片２１が重なる。
【００４７】
このとき、施工者は、天板部２３の上面が内方向に向かって下り傾斜するように、包み部材２を設置することが好ましい。これにより、設置した状態で、天板部２３の上面に付着した雨水を屋根面に流すことができる。
【００４８】
次いで、施工者は、図６Ｃに示すように、包み部材２の敷込部２６の上方で、かつ屋内側突条部２４の下方に、屋根材６の外方向の端部が位置するように、複数の屋根材６を配置する。
【００４９】
次いで、施工者は、複数の化粧材３を、包み部材２の縦片２１に取り付ける。施工者は、化粧材３の取付けを行うにあたり、軒先から順に行う。縦片２１の軒方向の先端部に、スペーサ４を介在させて、化粧板３の軒側の端部を固定し、棟側の端部を縦片２１に当てる。この状態で、棟側に隣接する化粧材３の軒側の端部を、軒側の化粧材３の棟側の端部とともにねじ留めする。施工者は、この作業を、棟側の端部に至るまで繰り返す。
【００５０】
この後、図９に示すように、棟包み８の外方向の端部に、棟巴板９を設置する。棟巴板９は、棟包み８の外方向の端面の形状に合わせて、化粧材３と同じ種類の板材を用いて加工される。棟巴板９は、本実施形態では、棟包み８の端面と同じく、多角形状に形成される。棟巴板９は、棟包み８の外方向の端面に、例えばねじ留め等で固定される。棟巴板９の上辺は、棟包み８の天板部分の形状に合わせて加工されるが、図９に示すように、当該端面の外形に略相似形で、やや小さく形成されて、棟包み８の妻側端部直下に設けられる。なお、棟巴板９は、棟包み８の天板部分の端面の外形に一致した形状とし、棟包み８の端面に当たるように取り付けられてもよい。また、棟巴板９は、化粧材３と同じ種類の板材でなくてもよい。ただし、化粧材３と同じ板材（化粧材３の破材、使用しない化粧材３等）であると、外観の統一化を図ることができる。
【００５１】
これにより、本実施形態のけらば役物１をけらば部に取り付けることができる。なお、このとき、固着具７を打ち込む位置（取付孔２７に対応する箇所）が視認できるように、化粧材３にマーク等を付けておくことが好ましい。
【００５２】
以上、説明したように、本実施形態のけらば役物１は、屋根のけらば部に屋根材６の妻側端縁を上方から覆うように配置される長尺の包み部材２と、包み部材２の側面にその長手方向に沿って複数並設される包み部材２よりも短尺の化粧材３とを備えている。
【００５３】
従来の工法では、軒側の袖瓦の棟側端部に、その棟側の袖瓦の軒側端部を嵌め込んで重ねており、このような嵌め込み可能な複雑な形状が必要であった。これに対し、本実施形態の上記構成によれば、長尺の包み部材２と短尺の化粧材３というシンプルな構成でありながら、観者の視野に入り易いけらば部分の側面に化粧材３を設けているため、建物のけらば部分の美観を保つことができる。
【００５４】
また、本実施形態のけらば役物１は、次の付加的な構成を有することが好ましい。すなわち、包み部材２は、化粧材３よりも上側の位置から外方に突出すると共に、包み部材２の長手方向に沿って延びる突条部（屋外側突条部２２）を備えている。突条部２２は、化粧材３の屋外側の面よりも突出している。
【００５５】
この構成によれば、化粧材３の外側から固着具７を打ち込んで、けらば役物１を建物に固定する場合においても、固着具７に伝う雨水を極力防ぐことができる。この結果、けらば役物１を固定するための固着具７および取付孔２７からの浸水を抑制することができる。
【００５６】
また、本実施形態のけらば役物１は、次の付加的な構成を有することが好ましい。すなわち、本実施形態の化粧材３は、屋根材６と同質の外観を呈することが好ましい。
【００５７】
この構成によれば、けらば部に沿って取り付けたけらば役物１と、屋根材６とが同質の外観に形成されることで、家屋を統一感のある外観にすることができる。
【００５８】
また、本実施形態のけらば構造は、上記けらば役物１が、けらば部において屋根材６の妻側端縁を上方から覆うように配置されていることを特徴とする。
【００５９】
この構成によれば、家屋の外観上、目立つけらば部について、化粧材３で覆うことができるため、家屋の外観を損なうのを防止できる。
【００６０】
また、本実施形態のけらば構造は、次の付加的な構成を有することが好ましい。すなわち、本実施形態のけらば構造において、けらば役物１は、家屋の出入口が設けられた妻壁側のけらば部に配置されている。
【００６１】
この構成によれば、家屋の出入口という人の目につきやすい部分のけらば部についても、簡単な施工でけらば部を化粧材で覆うことができ、家屋の外観を損なわないようにできる。
【００６２】
（変形例）
上記実施形態のけらば役物１は、製造工場において、予め、包み部材２に複数の化粧材３が取り付けられてもよいし、包み部材２と化粧材３とを別々に作業現場に搬入し、作業現場で組み立ててもよい。もちろん、上記実施形態のように、屋根上で施工しながら組み立ててもよい。例えば、製造工場から作業現場に搬入するに当たっては、包み部材２と複数の化粧材３とを別々に搬入し、作業現場において、屋根上に移動させる前に、包み部材２と複数の化粧材３とを組み立ててもよい。
【００６３】
上記実施形態のけらば役物１は、例えば、屋根材の端縁に沿うように延びる隅棟用の棟包みや平棟用の棟包みにおいても適用することもできる。すなわち、製造工場や建物の地上等において、予め、包み部材２としての隅棟用の棟包み部材や平棟用の棟包み部材と、複数の化粧材３とを組み立てておくことで、外観を保ちながらも施工性を向上させることができる。
【００６４】
上記実施形態のけらば役物１は、化粧材３には貫通孔が設けられず、縦片２１に取付孔２７が設けられていたが、予め、縦片２１に取付孔が設けられておらず、化粧材３に固着具７を挿通するための貫通孔が設けられてもよい。また、貫通孔に相当する部分に、薄肉部で貫通孔が覆われた半貫通孔が設けられてもよい。
【００６５】
上記実施形態のけらば役物１は、縦片２１と化粧材３との間の部分的な隙間に、スペーサ４が挟まれていたが、スペーサ４はなくてもよい。
【００６６】
その他、上記実施形態の構成は、本発明の主旨を逸脱しない範囲であれば、適宜設計変更を行うことができる。
【符号の説明】
【００６７】
１      けらば役物
２      包み部材
２１    縦片
２２    屋外側突条部（突条部）
３      化粧材
６      屋根材
【図１】
2018112055.tif 000003
【図２】
2018112055.tif 000004
【図３】
2018112055.tif 000005
【図４】
2018112055.tif 000006
【図５】
2018112055.tif 000007
【図６】
2018112055.tif 000008
【図７】
2018112055.tif 000009
【図８】
2018112055.tif 000010
【図９】
2018112055.tif 000011